(57)【要約】  ＰＤＣＣＨにおいて、基地局装置からの上りリンクブランドを検出した場合には、上りリンク送信信号として、上りリンクグラントにおいて指定されたデータと、送信時において測定されたチャネル状態情報とをＰＵＳＣＨにて送信する。その後、再送する旨の通知を受信した場合には、再送するデータと、再送時において測定されたチャネル状態情報とをＰＵＳＣＨにおいて送信する。したがって、移動局装置が、再送を指定された際に、適切なチャネル状態情報を送信することにより、基地局装置が、現在のチャネル状況に適した効率的な基地局装置、移動局装置間の通信制御（スケジューリング）を行うことができる。
2009093662.tif 000002
【特許請求の範囲】
【請求項１】
基地局装置から、上りリンクデータの送信許可信号を受信する送信許可信号受信手段と、
前記送信許可信号がチャネル状態情報の送信要求を含んでいない場合は、データを、
前記送信許可信号がチャネル状態情報の送信要求を含んでいる場合は、データとチャネル状態信号とを、
前記送信許可信号がチャネル状態情報のみの送信要求を含んでいる場合は、チャネル状態情報を、
前記基地局装置に送信する送信手段と、
を備え、
前記送信許可信号がチャネル状態情報のみの送信要求を含んでいる場合には、前記基地局装置に送信したデータの送信が成功したと判断することを特徴とする移動局装置。
【請求項２】
基地局装置から、上りリンクデータの送信許可信号を受信する送信許可信号受信手段と、
チャネル状態情報を取得するチャネル状態情報取得手段と、
前記送信許可信号を受信した場合に、基地局に送信するデータと、前記チャネル状態情報と含めて上りリンク送信信号として送信するデータ送信手段と、
を備え、
前記送信許可信号が、基地局装置から前記データを再度送信する内容の信号である場合に、前記データ送信手段は、前記基地局に送信したデータと、チャネル状態情報取得手段により再取得されたチャネル状態情報とを含めて上りリンク送信信号として送信することを特徴とする移動局装置。
【請求項３】
基地局装置から、応答信号を受信する応答信号受信手段を更に備え、
前記応答信号受信手段により否定応答が受信された場合、前記データ送信手段は、前記基地局に送信したデータと、チャネル状態情報取得手段により再取得されたチャネル状態情報とを含めて上りリンク送信信号として送信することを特徴とする請求項２に記載の移動局装置。
【請求項４】
前記応答信号受信手段により肯定信号が受信された場合、前記データ送信手段は、チャネル状態情報を送信しないことを特徴とする請求項３に記載の移動局装置。
【請求項５】
基地局装置から、上りリンクデータの送信許可信号を受信する送信許可信号受信手段と、
チャネル状態情報を取得するチャネル状態情報取得手段と、
前記送信許可信号を受信した場合に、前記チャネル状態情報を上りリンク送信信号に含めて送信するデータ送信手段と、
を備え、
前記送信許可信号が、チャネル状態情報を送信する内容の信号である場合に、前記データ送信手段は、前記チャネル状態情報取得手段により再取得されたチャネル状態情報を上りリンク送信信号に含めてとして送信することを特徴とする移動局装置。
【請求項６】
基地局装置から、応答信号を受信する応答信号受信手段を更に備え、
前記応答信号受信手段により否定応答が受信された場合、前記データ送信手段は、前記チャネル状態情報取得手段により再取得されたチャネル状態情報を上りリンク送信信号に含めて送信することを特徴とする請求項５に記載の移動局装置。
【請求項７】
前記応答信号受信手段により肯定信号が受信された場合、前記データ送信手段は、前記上りリンク送信信号にチャネル状態情報を含めないことを特徴とする請求項６に記載の移動局装置。
【請求項８】
基地局装置と接続されたコンピュータに、
基地局装置から、上りリンクデータの送信許可信号を受信する送信許可信号受信機能と、
前記送信許可信号がチャネル状態情報の送信要求を含んでいない場合は、データを、
前記送信許可信号がチャネル状態情報の送信要求を含んでいる場合は、データとチャネル状態情報と、
前記送信許可信号がチャネル状態情報のみの送信要求を含んでいる場合は、チャネル状態情報を、
前記基地局装置に送信する送信機能と、
を実現させるプログラムであって、
前記送信許可信号がチャネル状態情報のみの送信要求を含んでいる場合には、前記基地局装置に送信したデータの送信が成功したと判断することを実現させるためのプログラム。
【請求項９】
基地局装置と接続されたコンピュータに、
基地局装置から、上りリンクデータの送信許可信号を受信する送信許可信号受信機能と、
チャネル状態情報を取得するチャネル状態情報取得機能と、
前記送信許可信号を受信した場合に、基地局に送信するデータと、前記チャネル状態情報と含めて上りリンク送信信号として送信するデータ送信機能と、
を実現させるプログラムであって、
前記送信許可信号が、基地局装置から前記データを再度送信する内容の信号である場合に、前記データ送信機能は、前記基地局に送信したデータと、チャネル状態情報取得機能により再取得されたチャネル状態情報とを含めて上りリンク送信信号として送信することを実現させるためのプログラム。
【請求項１０】
基地局装置と接続されたコンピュータに、
基地局装置から、上りリンクデータの送信許可信号を受信する送信許可信号受信機能と、
チャネル状態情報を取得するチャネル状態情報取得機能と、
前記送信許可信号を受信した場合に、前記チャネル状態情報を上りリンク送信信号に含めて送信するデータ送信機能と、
を実現させるプログラムであって、
前記送信許可信号が、チャネル状態情報を送信する内容の信号である場合に、前記データ送信機能は、前記チャネル状態情報取得機能により再取得されたチャネル状態情報を上りリンク送信信号に含めてとして送信することを実現させるためのプログラム。
【発明の詳細な説明】
【技術分野】
【０００１】
本発明は、移動局装置及びプログラムに関する。
【背景技術】
【０００２】
３ＧＰＰ（3rd Generation Partnership Project）は、Ｗ−ＣＤＭＡ（Wideband-Code Division Multiple Access）とＧＳＭ（Global System for Mobile Communications）を発展させたネットワークを基本した携帯電話システムの仕様を検討・作成を行うプロジェクトである。３ＧＰＰではＷ−ＣＤＭＡ方式が第３世代セルラー移動通信方式として標準化され、順次サービスが開始されている。また、通信速度を更に上げたＨＳＤＰＡ（High-Speed Downlink Packet Access）も標準化され、サービスが開始されている。３ＧＰＰでは、第３世代無線アクセス技術の進化（Evolved Universal Terrestrial Radio Access：以下、ＥＵＴＲＡと称する）が検討されている。【０００３】
ＥＵＴＲＡにおけるダウンリンク通信方式として、互いに直交するサブキャリアを用いてユーザ多重化を行うＯＦＤＭＡ（Orthogonal Frequency Multiple Access）方式が提案されている。また、ＯＦＤＭＡ方式において、チャネル符号化等の適応無線リンク制御（リンクアダプテーション：Link Adaptation）に基づく適応変復調・誤り訂正方式（ＡＭＣＳ：Adaptive Modulation and Coding Scheme）といった技術が適用されている。ＡＭＣＳとは、高速パケットデータ伝送を効率的に行うために、各移動局装置のチャネル品質に応じて、誤り訂正方式、誤り訂正の符号化率、データ変調多値数などの無線伝送パラメータ（以下、ＡＭＣモードと称する。）を切り替える方式である。各移動局装置のチャネル品質は、ＣＱＩ（Channel Quality Indicator）を使って基地局装置へフィードバックされる。【０００４】
ＯＦＤＭＡにおいて、通信可能な領域を物理的にサブキャリアに対応する周波数領域と時間領域において分割することができる。この分割領域をいくつかにまとめたものはリソースブロックと呼ばれ、ひとつ、または、いくつかのリソースブロックを各移動局装置へ割り振り、複数の移動局装置を多重化した通信が行われる。基地局装置と各移動局装置とが、その要求に応じた最適な品質・速度での通信を行うためには、各移動局装置における各サブキャリアに対応する周波数帯のチャネル品質を考慮したリソースブロック割り当て及び伝送方式の決定が必要である。伝送方式やスケジューリングは基地局装置が行うため、この要求を実現するために、基地局装置へ各移動局装置から周波数領域ごとのチャネル品質がフィードバックされる。さらに、必要な場合には、基地局装置へ各移動局装置からチャネル品質の良い周波数領域を示す情報がフィードバックされる。【０００５】
また、ＥＵＴＲＡにおいては通信路容量を増大するために、ＭＩＭＯ（Multiple Input Multiple Output）を利用したＳＤＭ（Space Division Multiplexing：空間多重技術）やＳＦＢＣ（Space-Frequency Block Diversity）、ＣＤＤ（Cyclic Delay Diversity）といった送信ダイバーシティの利用が提案されている。ＭＩＭＯは多入力・多出力システムまたは技術の総称であり、送信側、受信側に複数のアンテナを用いて、電波の入出力の分岐数を複数にして伝送することを特徴とする。ＭＩＭＯ方式を利用して空間多重送信できる信号系列の単位をストリームと呼ぶ。ＭＩＭＯ通信時におけるストリームの数（Ｒａｎｋ）は、チャネル状態を考慮し、基地局装置が決定する。移動局装置が要求するストリームの数（Ｒａｎｋ）は、移動局装置から基地局装置へＲＩ（Rank Indicator）を使ってフィードバックされる。【０００６】
また、ダウンリンクにおけるＳＤＭの利用時については、各アンテナから送信される複数ストリームの情報を正しく分離ために、予め送信信号系列を前処理する（これをプレコーディングと称する）ことが検討されている。プレコーディングの情報は、移動局装置が推定したチャネル状態をもとに算出されるものであり、移動局装置から基地局装置にＰＭＩ（Precoding Matrix Indicator）を使ってフィードバックされる。【０００７】
このように、最適な品質での通信を実現するために、各移動局装置から基地局装置へ、チャネル状態を示す様々な情報をフィードバックすることが必要とされている。このチャネル状態情報は、ＣＱＩ、ＰＭＩ、ＲＩなどで形成されている。これらのチャネル状態情報のビット数やフォーマットは、状況に応じて基地局装置から移動局装置へ指定される。【０００８】
ここで、図１１に、ＥＵＴＲＡにおけるチャネル構成を示す。ＥＵＴＲＡの下りリンクは、下りリンクパイロットチャネルＤＰｉＣＨ（Downlink Pilot Channel）と、下りリンク同期チャネルＰＳＣＨ（Physical Downlink Synchronization Channel）と、下りリンク共用チャネルＰＤＳＣＨ（Physical Downlink Shared Channel）と、下りリンク制御チャネルＰＤＣＣＨ（Physical Downlink Control Channel）と、下りリンクＨＡＲＱ確認指定チャネルＰＨＩＣＨ（Physical HARQ Acknowledgement Indicator Channel）と、下りリンク報知チャネルＰＢＣＨ（Physical Broadcast Channel）とにより構成されている。【０００９】
また、ＥＵＴＲＡの上りリンクは、上りリンクパイロットチャネルＵＰｉＣＨ（Uplink Pilot Channel）と、ランダムアクセスチャネルＲＡＣＨ（Random Access Channel）と、上りリンク共用チャネルＰＵＳＣＨ（Physical Uplink Shared Channel）と、上りリンク制御チャネルＰＵＣＣＨ（Physical Uplink Control Channel）とにより構成されている（例えば、非特許文献１参照）。【００１０】
図１２は、横軸に時間をとり、縦軸に周波数をとっている。図１２は、１つの無線フレームの構成を示しており、この無線フレームは複数の無線リソースに分割される。時間方向の１ｍｓの領域をサブフレームと呼ぶ。無線リソースは、周波数方向に１８０ｋＨｚ、時間方向に１ｍｓの領域を単位として構成され、これらの領域にＰＵＳＣＨとＰＵＣＣＨが図のように割り当てられる。【００１１】
チャネル状態情報は、ＰＵＣＣＨまたはＰＵＳＣＨを使用してフィードバックされる。上りリンクシングルキャリアの性質上、移動局装置が同時に複数のチャネルを送信することはできない。ＰＵＣＣＨは、下りリンクデータのＨＡＲＱ（Hybrid Automatic Repeat Request）のために使用されるＡＣＫ（Positive Acknowledgement)／ＮＡＣＫ（Negative Acknowledgement）の送信とチャネル状態情報の送信のために使用される。【００１２】
ＰＵＳＣＨは、主に上りリンクデータを送信するために使用される。チャネル状態情報がＰＵＣＣＨで送信されない場合に、上りリンクデータと共にチャネル状態情報も送信される。一般的に、１サブフレーム内において、ＰＵＣＣＨに比べＰＵＳＣＨの方がチャネル状態情報を送信するために割り当てられるリソースが大きい。【００１３】
一方、上りリンク共用チャネル（ＰＵＳＣＨ）の送信には、ＨＡＲＱが適用される。ＨＡＲＱの再送では、前回送信したものとまったく同じものを送信して、受信側でコンバインするチェイス合成と、前回送信していない情報を追加送信するインクリメンタル・リダンダンシーの２種類の方法がある。新データを生成したトランスポートブロックと同じトランスポートブロックから再送データも生成される。【００１４】
ここで、図１３に上りリンク送信手順を示す。図１３は、右側に基地局装置を、左側に移動局装置の処理を記載した図である。【００１５】
また、移動局装置が基地局装置からのデータを受信するサブフレームを下りリンクサブフレーム（Ｄ−ｓｕｂｆｒａｍｅ）と、移動局装置が基地局装置へデータを送信するサブフレームを上りリンクサブフレーム（Ｕ−ｓｕｂｆｒａｍｅ）と呼ぶ。【００１６】
そして、図１３の左側に下りリンクサブフレームを、右側に上りリンクサブフレームを図示したものが説明のために記載されている。ただし、下りリンクサブフレームと上りリンクサブフレームは、必ずしもタイミングが一致しない。【００１７】
まず、基地局装置から、移動局装置に対して新データを送信するために、上りリンクグラントをＰＤＣＣＨにて送信する。移動局装置は、ＰＤＣＣＨをデコードすることにより、当該移動局装置への上りリンク送信許可信号（上りリンクグラント）を検出する（Ｄ−ｓｕｂｆｒａｍｅ＃２）。【００１８】
この上りリンクグラントには、新データを示す新データインジケータが含まれている。そして、Ｄ−ｓｕｂｆｒａｍｅ＃２に対応した一定処理時間後（上りリンクサブフレームＵ−ｓｕｂｆｒａｍｅ＃６）に、ＰＵＳＣＨにて上りリンクデータ（新データ）を送信する。【００１９】
基地局装置は、上りリンクデータのデコード処理を行い、応答信号をＰＨＩＣＨにて移動局装置に送信する。具体的には、ＣＲＣ（Cyclic Redundancy Check）が成功した場合に肯定応答（ＡＣＫ）、失敗した場合に否定応答（ＮＡＣＫ）を、移動局装置にＰＨＩＣＨを使って送信する。【００２０】
移動局装置は、Ｄ−ｓｕｂｆｒａｍｅ＃１０でＰＤＣＣＨ及びＰＨＩＣＨをデコードし、ＰＤＣＣＨに上りリンクグラントを検出せず、ＰＨＩＣＨでＮＡＣＫを検出した場合、上りリンクデータの再送を行う。この場合は、前回送信時と同じＭＣＳ、同じリソースブロックを使用して、送信が行われる。【００２１】
この再送処理は、Ｎｏｎ−Ａｄａｐｔｉｖｅ  ＨＡＲＱと呼ばれる。また上りリンクにおける再送処理のタイミングは同期されており、この例では、８  Ｕ−ｓｕｂｆｒａｍｅ間隔で再送が行われる。すなわちラウンドとリップタイムは８サブフレームである。【００２２】
図１４にＡｄａｐｔｉｖｅ  ＨＡＲＱの上りリンク送信手順を示す。基地局装置は、上りリンクデータのデコード処理を行い、ＣＲＣ（Cyclic Redundancy Check）が成功した場合にＡＣＫ、失敗した場合に再送のために新たなＭＣＳ、リソースブロックを指定するため上りリンクグラントに再送用の情報を含めて送信する。【００２３】
移動局装置は、Ｄ−ｓｕｂｆｒａｍｅ＃１０でＰＤＣＣＨをデコードし、ＰＤＣＣＨに上りリンクグラントを検出した際に、上りリンクデータの再送を行う。この場合は、今回ＰＤＣＣＨで指定された新たなＭＣＳ、リソースブロックを使用して、送信が行われる。この再送処理は、Ａｄａｐｔｉｖｅ  ＨＡＲＱと呼ばれる。【００２４】
また、非特許文献２では、移動局装置から基地局装置へのチャネル状態情報の送信方法として、基地局装置が、非周期（トリガ）的にチャネル状態情報を送信するために、ＰＵＳＣＨでチャネル状態情報を送信するように指定する情報を含んだ上りリンクグラントを使う。チャネル状態情報を送信するように指定する情報を含んだ上りリンクグラントを受信した移動局装置が、割り当てられたリソースを使用して詳細なチャネル状態情報を送信することで、基地局装置、移動局装置間で柔軟性を持ったチャネル状態情報の送受信を実現する提案がなされている。【００２５】
また、非特許文献３では、移動局装置から基地局装置へのチャネル状態情報の送信方法として、基地局装置が、ＰＵＳＣＨのリソースを割り当てた場合は常にチャネル状態情報を送信することにより、特別なシグナリングなしに詳細なチャネル状態情報を頻繁に送信することを実現する提案がなされている。
【非特許文献１】3GPP TS (Technical Specification) 36.211, V1.10 (2007-05), Technical Specification Group Radio Access Network, Physical Channel and Modulation (Release 8)
【非特許文献２】"CQI Trigger Mechanism", 3GPP TSG RAN WG1 Meeting #50bis, R1-074353, October 2007
【非特許文献３】"Channel feedback format selection", 3GPP, TSG RAN WG1 Meeting #51, R1-974854, November 2007
【発明の開示】
【発明が解決しようとする課題】
【００２６】
しかしながら従来の技術では、移動局装置は、上りリンクデータの再送時にどのようにチャネル状態情報を送信するのかを知ることができなかった。すなわち、移動局装置から、移動局装置に対して送信データが再送される場合、前回送信されたものと同一のデータが送信されることとなる。したがって、再送前に送られたチャネル状態情報が、再度送られることとなり、再送時のチャネル状態にあった情報が送られることとはならなかった。【００２７】
また、基地局装置から非周期的なチャネル状態情報の送信要求として、上りリンクグラントが送信されると、それに続く再送リソースでどのようにチャネル状態情報を送信するのかを知ることができなかった。【００２８】
また、Ｎｏｎ−Ａｄａｐｔｉｖｅ  ＨＡＲＱとＡｄａｐｔｉｖｅ  ＨＡＲＱでのチャネル状態情報送信の手順が決まっていないので、移動局装置と基地局装置の間でチャネル状態情報が含まれているかいないかなどの不一致が生じてしまった。【００２９】
本発明は、このような事情に鑑みてなされたものであり、移動局装置が、再送を指定された際に、適切なチャネル状態情報を送信することにより、基地局装置が、現在のチャネル状況に適した効率的な基地局装置、移動局装置間の通信制御（スケジューリング）を行うことができる移動局装置等を提供することを目的とする。
【課題を解決するための手段】
【００３０】
上述した課題を解決するために、本発明の移動局装置は、基地局装置から、上りリンクデータの送信許可信号を受信する送信許可信号受信手段と、前記送信許可信号がチャネル状態情報の送信要求を含んでいない場合は、データを、前記送信許可信号がチャネル状態情報の送信要求を含んでいる場合は、データとチャネル状態信号とを、前記送信許可信号がチャネル状態情報のみの送信要求を含んでいる場合は、チャネル状態情報を、前記基地局装置に送信する送信手段と、を備え、前記送信許可信号がチャネル状態情報のみの送信要求を含んでいる場合には、前記基地局装置に送信したデータの送信が成功したと判断することを特徴とする。【００３１】
本発明の移動局装置は、基地局装置から、上りリンクデータの送信許可信号を受信する送信許可信号受信手段と、チャネル状態情報を取得するチャネル状態情報取得手段と、前記送信許可信号を受信した場合に、基地局に送信するデータと、前記チャネル状態情報と含めて上りリンク送信信号として送信するデータ送信手段と、を備え、前記送信許可信号が、基地局装置から前記データを再度送信する内容の信号である場合に、前記データ送信手段は、前記基地局に送信したデータと、チャネル状態情報取得手段により再取得されたチャネル状態情報とを含めて上りリンク送信信号として送信することを特徴とする。【００３２】
また、本発明の移動局装置は、基地局装置から、応答信号を受信する応答信号受信手段を更に備え、前記応答信号受信手段により否定応答が受信された場合、前記データ送信手段は、前記基地局に送信したデータと、チャネル状態情報取得手段により再取得されたチャネル状態情報とを含めて上りリンク送信信号として送信することを特徴とする。【００３３】
また、本発明の移動局装置において、前記応答信号受信手段により肯定信号が受信された場合、前記データ送信手段は、チャネル状態情報を送信しないことを特徴とする。【００３４】
本発明の移動局装置は、基地局装置から、上りリンクデータの送信許可信号を受信する送信許可信号受信手段と、チャネル状態情報を取得するチャネル状態情報取得手段と、前記送信許可信号を受信した場合に、前記チャネル状態情報を上りリンク送信信号に含めて送信するデータ送信手段と、を備え、前記送信許可信号が、チャネル状態情報を送信する内容の信号である場合に、前記データ送信手段は、前記チャネル状態情報取得手段により再取得されたチャネル状態情報を上りリンク送信信号に含めてとして送信することを特徴とする。【００３５】
また、本発明の移動局装置は、基地局装置から、応答信号を受信する応答信号受信手段を更に備え、前記応答信号受信手段により否定応答が受信された場合、前記データ送信手段は、前記チャネル状態情報取得手段により再取得されたチャネル状態情報を上りリンク送信信号に含めて送信することを特徴とする。【００３６】
また、本発明の移動局装置において、前記応答信号受信手段により肯定信号が受信された場合、前記データ送信手段は、前記上りリンク送信信号にチャネル状態情報を含めないことを特徴とする。【００３７】
本発明のプログラムは、基地局装置と接続されたコンピュータに、基地局装置から、上りリンクデータの送信許可信号を受信する送信許可信号受信機能と、前記送信許可信号がチャネル状態情報の送信要求を含んでいない場合は、データを、前記送信許可信号がチャネル状態情報の送信要求を含んでいる場合は、データとチャネル状態情報と、前記送信許可信号がチャネル状態情報のみの送信要求を含んでいる場合は、チャネル状態情報を、前記基地局装置に送信する送信機能と、を実現させるプログラムであって、前記送信許可信号がチャネル状態情報のみの送信要求を含んでいる場合には、前記基地局装置に送信したデータの送信が成功したと判断することを実現させることを特徴とする。【００３８】
本発明のプログラムは、基地局装置と接続されたコンピュータに、基地局装置から、上りリンクデータの送信許可信号を受信する送信許可信号受信機能と、チャネル状態情報を取得するチャネル状態情報取得機能と、前記送信許可信号を受信した場合に、基地局に送信するデータと、前記チャネル状態情報と含めて上りリンク送信信号として送信するデータ送信機能と、を実現させるプログラムであって、前記送信許可信号が、基地局装置から前記データを再度送信する内容の信号である場合に、前記データ送信機能は、前記基地局に送信したデータと、チャネル状態情報取得機能により再取得されたチャネル状態情報とを含めて上りリンク送信信号として送信することを実現させることを特徴とする。【００３９】
本発明のプログラムは、基地局装置と接続されたコンピュータに、基地局装置から、上りリンクデータの送信許可信号を受信する送信許可信号受信機能と、チャネル状態情報を取得するチャネル状態情報取得機能と、前記送信許可信号を受信した場合に、前記チャネル状態情報を上りリンク送信信号に含めて送信するデータ送信機能と、を実現させるプログラムであって、前記送信許可信号が、チャネル状態情報を送信する内容の信号である場合に、前記データ送信機能は、前記チャネル状態情報取得機能により再取得されたチャネル状態情報を上りリンク送信信号に含めてとして送信することを実現させることを特徴とする。
【発明の効果】
【００４０】
本発明によれば、移動局装置は、基地局装置から上りリンクデータの送信許可信号を受信し、チャネル状態情報を取得する。そして、前記送信許可信号を受信した場合に、基地局に送信するデータと、前記チャネル状態情報と含めて上りリンク送信信号として送信する。このとき、送信許可信号が、基地局装置から前記データを再度送信する内容の信号である場合に、前記基地局に送信したデータと、再取得されたチャネル状態情報とを含めて上りリンク送信信号として送信することとなる。したがって、移動局装置が、再送を指定された際に、効率よくチャネル状態情報を送信することが可能となり、基地局装置が、現在のチャネル状況に適した効率的な基地局装置、移動局装置間の通信制御（スケジューリング）を行うことができる。
【図面の簡単な説明】
【００４１】
【図１】本発明を適用した場合における通信システムの概略を示す図である。
【図２】本実施形態における基地局装置の構成を示す図である。
【図３】本実施形態における移動局装置の構成を示す図である。
【図４】第１実施例における通信手順を説明するための図である。
【図５】第１実施例における通信手順を説明するための図である。
【図６】第１実施例における移動局装置の処理の流れを説明するための動作フローである。
【図７】第２実施例における通信手順を説明するための図である。
【図８】第２実施例における通信手順を説明するための図である。
【図９】第２実施例における通信手順を説明するための図である。
【図１０】第２実施例における移動局装置の処理の流れを説明するための動作フローである。
【図１１】従来の通信システムの仕組みを説明するための図である。
【図１２】従来の通信システムの仕組みを説明するための図である。
【図１３】従来の通信手順を説明するための図である。
【図１４】従来の通信手順を説明するための図である。
【符号の説明】
【００４２】
１  基地局装置
１００  データ制御部
１０２  ＯＦＤＭ変調部
１０４  無線部
１０６  スケジューリング部
１０６２  ＤＬスケジューリング部
１０６４  ＵＬスケジューリング部
１０６６  制御データ作成部
１０８  チャネル推定部
１１０  ＤＴＦ−ｓ−ＯＦＤＭ復調部
１１２  データ抽出部
５  移動局装置
５００  データ制御部
５０２  ＤＦＴ−ｓ−ＯＦＤＭ変調部
５０４  無線部
５０６  スケジューリング部
５０６２  制御データ解析部
５０６４  制御データ作成部
５０６６  ＵＬスケジューリング部
５０８  チャネル推定部
５１０  ＯＦＤＭ復調部
５１２  データ抽出部
【発明を実施するための最良の形態】
【００４３】
以下、図面を参照して本発明を実施するための最良の形態について説明する。まず、図１は、本発明を適用した場合の基地局装置、移動局装置を含む通信システムの概略である。本実施形態においては、基地局装置１は、移動局装置５と通信を行うこととして説明する。また、基地局装置１と移動局装置５とは、ＥＵＴＲＡを利用した移動通信ネットワークシステムにて接続されているものとして説明する。【００４４】
図２は、本発明に係る基地局装置１の概略構成を示すブロック図である。基地局装置１は、データ制御部１００と、ＯＦＤＭ変調部１０２と、無線部１０４と、スケジューリング部１０６と、チャネル推定部１０８と、ＤＦＴ−ｓ−ＯＦＤＭ復調部１１０と、データ抽出部１１２とを備えて構成されている。【００４５】
データ制御部１００は、スケジューリング部１０６からの指示により、制御データを下りリンク制御チャネルＰＤＣＣＨ、下りリンク同期チャネルＰＳＣＨ、下りリンクパイロットチャネルＤＰｉＣＨ及び下りリンク報知チャネルＰＢＣＨにマッピングし、各移動局装置に対するユーザデータと他の制御データを下りリンク共用チャネルＰＤＳＣＨにマッピングする。【００４６】
ＯＦＤＭ変調部１０２は、データ制御部１００から入力された信号から、データ変調、入力信号の直列／並列変換し、ＩＦＦＴ（Inverse Fast Fourier Transform）変換、ＣＰ（Cyclic Prefix）挿入、フィルタリングなどＯＦＤＭ信号処理を行い、ＯＦＤＭ信号を生成する。生成されたＯＦＤＭ信号は、無線部１０４に出力される。【００４７】
無線部１０４は、ＯＦＤＭ変調部１０２から入力されたデータを無線周波数にアップコンバートして、移動局装置５に送信する。また、無線部１０４は、移動局装置５からの上りリンクのデータを受信し、ベースバンド信号にダウンコンバートして、受信データをチャネル推定部１０８と、ＤＦＴ−ｓ−ＯＦＤＭ復調部１１０と、に出力する。【００４８】
スケジューリング部１０６は、ＭＡＣ層（Medium Access Control）の機能を提供し、下りリンクのスケジューリングを行うＤＬスケジューリング部１０６２と、上りリンクのスケジューリングを行うＵＬスケジューリング部１０６４と、制御データ作成部１０６６とを備えて構成されている。また、スケジューリング情報をデータ制御部１００に通知する。また、データ抽出部１１２から受信したユーザデータおよび制御データを、処理する上位層へ出力する。【００４９】
ＤＬスケジューリング部１０６２は、移動局装置５から通知されるチャネル状態情報や、下りリンクデータのＡＣＫ／ＮＡＣＫ情報、上位層からの通知される各ユーザのデータ情報、制御データ作成部１０６６で作成される制御データ等から、下りリンクの各チャネルにユーザデータや制御データをマッピングする為のスケジューリングを行う機能部である。【００５０】
ＵＬスケジューリング部１０６４は、チャネル推定部１０８からの上りリンクのチャネル推定結果と、移動局装置５からのリソース割り当て要求とから、上りリンクの各チャネルにユーザデータをマッピングする為のスケジューリングを行う機能部である。【００５１】
制御データ作成部１０６６は、データ抽出部１１２から入力された上りリンクの受信データの正誤やチャネル状態情報のフィードバック制御のために、ＡＣＫ／ＮＡＣＫ信号を制御データとして作成する。また、ＤＬスケジューリング部１０６２や、ＵＬスケジューリング部１０６４で生成されるスケジューリング情報を制御データとして作成する。【００５２】
チャネル推定部１０８は、上りリンクパイロットチャネルＵＰｉＣＨのｄｅｍｏｄｕｌａｔｅ  ＲＳ（Ｒｅｆｅｒｅｎｃｅ  Ｓｙｍｂｏｌ）からチャネル推定し、ＤＴＦ−ｓ−ＯＦＤＭ復調部１１０にチャネル推定結果を出力する機能部である。また、上りリンクパイロットチャネルＵＰｉＣＨのｓｏｕｎｄｉｎｇ  ＲＳから上りリンクのスケジューリングを行う為にチャネル推定結果をスケジューリング部１０６に出力する。なお、上りリンクの通信方式は、ＤＦＴ−ｓｐｒｅｄ  ＯＦＤＭ等のようなシングルキャリア方式を想定しているが、ＯＦＤＭ方式のようなマルチキャリア方式でもかまわない。【００５３】
ＤＦＴ−ｓ−ＯＦＤＭ復調部１１０は、入力されたＤＦＴ−Ｓｐｒｅａｄ−ＯＦＤＭ信号に対して、ＤＦＴ変換、サブキャリアマッピング、ＩＦＦＴ変換、フィルタリング等のＤＦＴ−ｓ−ＯＦＤＭ信号処理を行い、データ信号を復調する機能部である。【００５４】
データ抽出部１１２は、受信データの正誤を確認し、確認結果をスケジューリング部１０６に通知する機能部である。また、受信データをユーザデータと制御データに分離しスケジューリング部１０６に出力する。また、受信データは、再送データと合成するために保存しておき、再送データを受信した時に合成処理を行う。【００５５】
つづいて、移動局装置５の構成について、図３を用いて説明する。移動局装置５は、データ制御部５００と、ＤＦＴ−ｓ−ＯＦＤＭ変調部５０２と、無線部５０４と、スケジューリング部５０６と、チャネル推定部５０８と、ＯＦＤＭ復調部５１０と、データ抽出部５１２とを備えて構成されている。【００５６】
データ制御部５００は、上位層またはスケジューリング部５０６から入力されたユーザデータ・制御データを、スケジューリング部５０６からの指示により上りリンク共用チャネルＰＵＳＣＨと、上りリンク制御チャネルＰＵＣＣＨで送られるように配置する。また、ｓｏｕｎｄｉｎｇ  ＲＳやｄｅｍｏｄｕｌａｔｅｄ  ＲＳを上りリンクパイロットチャネルＵＰｉＣＨに配置する。【００５７】
ＤＦＴ−ｓ−ＯＦＤＭ変調部５０２は、データ変調を行い、ＤＦＴ変換、サブキャリアマッピング、ＩＦＦＴ変換、ＣＰ（Cyclic Prefix）挿入、フィルタリングなどＤＦＴ−ｓ−ＯＦＤＭ信号処理を行い、ＤＦＴ−Ｓｐｒｅａｄ−ＯＦＤＭ信号を生成する。上りリンク共用チャネルＰＵＳＣＨで制御データ（ＡＣＫ／ＮＡＣＫまたはチャネル状態情報）を送信する場合には、制御データは、ＤＦＴ−ｓ−ＯＦＤＭ変調部５０２で、ユーザデータ（ＭＡＣ層または上位層から入力される上りリンク送信用のトランスポートブロック（上りリンクデータ））と多重される。【００５８】
上りリンク共用チャネルＰＵＳＣＨにおける制御データと上りリンクデータは、変調シンボルレベルで多重化され、ＤＦＴ変換される。制御データと上りリンクデータが多重されたＰＵＳＣＨで送信される信号を上りリンク送信信号と呼ぶ。基地局装置側では、変調シンボルレベルで分離できるため、ユーザデータに対してのみ再送処理を行い、制御データは新たに測定したデータを配置することができる。上りリンクの通信方式は、ＤＦＴ−ｓｐｒｅｄ  ＯＦＤＭのようなシングルキャリア方式を想定しているが、ＯＦＤＭ方式のようなマルチキャリア方式でもかまわない。【００５９】
無線部５０４は、無線制御部（非図示）から指示された無線周波数に設定し、ＤＦＴ−ｓ−ＯＦＤＭ変調部５０２から入力された信号を無線周波数にアップコンバートして、基地局装置１に送信する。また、無線部５０４は、基地局装置１からの下りリンクのデータを受信し、ベースバンド信号にダウンコンバートして、当該受信データをチャネル推定部５０８及びＯＦＤＭ復調部５１０に出力する。【００６０】
スケジューリング部５０６は、ＭＡＣ層（Medium Access Control）の機能を提供し、制御データ解析部５０６２と、制御データ作成部５０６４と、ＵＬスケジューリング部５０６６とを備えて構成されている。また、スケジューリング情報をデータ制御部５００に通知する。データ抽出部５１２から受信したユーザデータおよび制御データを、処理するまたは上位層へ出力する。【００６１】
制御データ解析部５０６２は、データ抽出部５１２から入力される制御情報を解析し、上位層から入力されたスケジューリング情報をＵＬスケジューリング部５０６６に出力する。【００６２】
制御データ作成部５０６４は、ＡＣＫ信号やＮＡＣＫ信号、その他の制御データを作成し、データ制御部５００に出力する。【００６３】
ＵＬスケジューリング部５０６６は、スケジューリング情報を元にＰＵＳＣＨ及び上りリンク制御チャネルＰＵＣＣＨを配置するリソースを制御する。【００６４】
チャネル推定部５０８は、下りリンクパイロットチャネルＤＰｉＣＨからチャネル推定し、ＯＦＤＭ復調部５１０に推定結果を出力する機能部である。また、基地局装置１にチャネル推定結果を通知する為のチャネル状態情報に変換し、スケジューリング部５０６にチャネル状態情報を出力する。【００６５】
ＯＦＤＭ復調部５１０は、チャネル推定部５０８のチャネル推定結果から無線部５０４から入力された受信データをＯＦＤＭ復調する機能部である。【００６６】
データ抽出部５１２は、ＯＦＤＭ復調部５１０から入力された受信データ受信データの正誤を確認し、確認結果をスケジューリング部５０６に通知する機能部である。また、受信データをユーザデータと制御データに分離しスケジューリング部５０６に出力する。また、受信データは、再送データと合成するために保存しておき、再送データを受信した時に合成処理を行う。【００６７】
〔第１実施例〕
続いて、基地局装置１及び移動局装置５を用いた通信システムにおいて、第１実施例を説明する。移動局装置５は、基地局装置１に対しチャネル状態情報を送信する。基地局装置１は、チャネル状態情報に基づいて移動局装置５との通信状態を判定し、通信路を確立する。【００６８】
まず、チャネル状態情報は、ＣＱＩ、ＰＭＩ、ＲＩなどで形成されている。これらのチャネル状態情報のビット数やフォーマットは、状況に応じて基地局装置１から移動局装置５へ指定される。これらの設定は、ＲＲＣ信号（Radio Resource Control Signaling）を使用して基地局装置１から移動局装置５に指定される。【００６９】
また、移動局装置５は、基地局装置１にＰＵＳＣＨでデータを送信する場合には、チャネル状態情報を含めて送信する設定になっている。つまり、周期的なチャネル状態情報の送信が実現される。サブフレーム位置によっては、チャネル状態情報の送信を禁止するサブフレームが存在しても良い。これらの設定は、ＲＲＣ信号（Radio Resource Control Signalling）を使用して基地局装置１から移動局装置５に指定される。【００７０】
また、基地局装置１から移動局装置５に送信される上りリンクグラントが特別な値の場合、上りリンクデータを送信せず、チャネル状態情報のみを送信することとなる。この特別な値の上りリンクグラントを、チャネル状態情報専用送信要求を含んだ上りリンクグラントと呼ぶ。【００７１】
図４に第１実施例に係るチャネル状態情報送信手順を示す。移動局装置５は、Ｄ−ｓｕｂｆｒａｍｅ＃２でＰＤＣＣＨをデコードし、移動局装置５への上りリンク送信許可信号（上りリンクグラント）を検出する。この上りリンクグラントには、新データを示す新データインジケータが含まれている。【００７２】
移動局装置５は、Ｄ−ｓｕｂｆｒａｍｅ＃２に対応した一定処理時間後の上りリンクサブフレームＵ−ｓｕｂｆｒａｍｅ＃６において、ＰＵＳＣＨにて上りリンク送信信号として、新データと、新たに測定したチャネル状態情報（ＣＳＲ＃６）とを送信する。【００７３】
基地局装置１は、上りリンク送信信号のデコード処理を行い、上りリンクデータのＣＲＣ（Cyclic Redundancy Check）が成功した場合にＡＣＫを送信する。【００７４】
しかし、基地局装置１が、ＣＲＣ（Cyclic Redundancy Check）が失敗した場合は、ＮＡＣＫを移動局装置５にＰＨＩＣＨを使って送信するか、再送のための新たなＭＣＳ、リソースブロックを指定する新データインジケータを含まない上りリンクグラントを、移動局装置５にＰＤＣＣＨを使って送信することとなる。ここで、基地局装置１は、受信したチャネル状態情報（ＣＳＲ）をデコードし、下りリンクのスケジューリングに反映する。【００７５】
移動局装置５は、Ｄ−ｓｕｂｆｒａｍｅ＃１０でＰＤＣＣＨ又はＰＨＩＣＨをデコードすることにより、ＰＤＣＣＨで新データインジケータを含まない上りリンクグラントを検出するか、ＰＨＩＣＨで応答信号として否定応答であるＮＡＣＫを検出した場合に、データを再送する。【００７６】
具体的には、前回送信したデータ（Ｕ−ｓｕｂｆｒａｍｅ＃６において送信された新データ）に対応するＨＡＲＱ再送データを基地局装置１に送信する。新データと再送データは、移動局装置５で同一トランスポートブロックから生成され、基地局装置１で合成される。【００７７】
このとき、ＰＵＳＣＨでは、再送データと、チャネル状態情報が送信される。チャネル状態情報は、Ｄ−ｓｕｂｆｒａｍｅ＃１０において再送が検出されてから新たに測定されたもの（ＣＳＲ＃１４）が送信される。【００７８】
このようにすることにより、同期ＨＡＲＱの特性を生かして、定期的なインターバル（ＨＡＲＱのラウンドトリップタイム）でのチャネル状態情報のフィードバックが可能となる。【００７９】
つづいて、図５にチャネル状態情報のみを送信する場合についての手順を示す。移動局装置５は、Ｄ−ｓｕｂｆｒａｍｅ＃２でＰＤＣＣＨをデコードし、移動局装置５への上りリンク送信許可信号（上りリンクグラント）を検出する。この上りリンクグラントには、上りリンクデータを送信せずにチャネル状態情報を送信するように指定する情報（チャネル状態情報専用送信要求）が含まれている。【００８０】
移動局装置５は、Ｄ−ｓｕｂｆｒａｍｅ＃２に対応した一定処理時間後の上りリンクサブフレームＵ−ｓｕｂｆｒａｍｅ＃６において、ＰＵＳＣＨにて新たに測定したチャネル状態情報（ＣＳＲ＃６）を上りリンク送信信号として送信する。【００８１】
基地局装置１は、受信したチャネル状態情報（ＣＳＲ）をデコードし、下りリンクのスケジューリングに反映する。基地局装置１は、さらにチャネル状態情報を要求する場合にはＮＡＣＫ（否定応答）、チャネル状態情報を要求しない場合にはＡＣＫ（肯定応答）を、移動局装置５にＰＨＩＣＨを使って送信する。【００８２】
移動局装置５は、Ｄ−ｓｕｂｆｒａｍｅ＃１０でＰＤＣＣＨおよびＰＨＩＣＨをデコードし、ＰＤＣＣＨに上りリンクグラントを検出せず、ＰＨＩＣＨでＮＡＣＫを検出した場合、新たに測定したチャネル状態情報（ＣＳＲ＃１４）を送信する。ＰＤＣＣＨに上りリンクグラントを検出せず、ＰＨＩＣＨでＡＣＫを検出した際に、チャネル状態情報の送信を停止する。【００８３】
このようにすることにより、ＰＨＩＣＨのＡＣＫ／ＮＡＣＫのみでチャネル状態情報のフィードバックの停止または継続的なフィードバックが可能となり、ＰＤＣＣＨのオーバーヘッドを下げることができる。また、同期ＨＡＲＱの特性を生かして、定期的なインターバル（ＨＡＲＱのラウンドトリップタイム）でのチャネル状態情報のフィードバックが可能となる。【００８４】
ここで、第１実施例における移動局装置５の処理手順を図６を用いて説明する。まず、移動局装置５は、ＰＤＣＣＨをデコードし、自局宛の上りリンクグラントがないか確認する（ステップＳ１０）。【００８５】
自局宛の上りリンクグラントを検出した場合（ステップＳ１０；Ｙｅｓ）、上りリンクグラントを解析し、上りリンクグラントの種別を検出する（ステップＳ１２）。ここでの上りリンクグラントの種別とは、新データの送信か、再送データの送信か、チャネル状態情報（ＣＳＲ：Channel State Report）のみの送信かを示している。チャネル状態情報のみの送信かどうかは、チャネル状態情報専用送信要求を含んでいるかどうかで判断される。新データか再送データかは、新データインジケータの有無によって判断される。この情報は、上りリンクグラントの種別として記憶する。【００８６】
つづいて、チャネル状態情報（ＣＳＲ）を取得する（ステップＳ１４）。具体的には、チャネル状態情報は、チャネル推定部５０８において測定される。具体的に、チャネル推定部５０８は、基地局装置から送信される下りリンクの情報の中から、参照信号を取り出すことでチャネル状態の測定を行なうことができる。この参照信号は、下りリンクパイロットチャネルＤＰｉＣＨ（Downlink Pilot Channel）によって送信される。【００８７】
この参照信号は、基地局装置１と移動局装置５との間で予め決められている信号である。移動局装置５は、この参照信号が予め決められていた値からどの程度変化しているかを測定することにより、チャネル状態の測定を行なう。また、参照信号は、送信されるアンテナも定義されており、アンテナ単位のチャネル状態の測定も可能である。これらの参照信号を基に、チャネル品質、チャネル品質の良い周波数領域、ＭＩＭＯ送信時のストリーム数、プレコーディング情報が演算され、それぞれＣＱＩ、周波数領域インジケータ、ＲＩ、ＰＭＩとして符号化される。【００８８】
例としては、ＣＱＩは、このＭＣＳで下りリンク送信した場合にビットエラレート１０％以下を達成可能なＭＣＳとして表現される。これらの情報を含んだチャネル状態情報の一つまたは複数のフォーマットは予めＲＲＣ信号（Radio Resource Control Signalling）で設定される。【００８９】
そして、移動局装置５は、チャネル推定部５０８において測定されたチャネル状態情報を取得する。【００９０】
なお、チャネル状態情報は、ステップＳ１４において取得する段階において、チャネル推定部５０８がその都度取得しても良いし、チャネル推定部５０８がチャネル状態を常時測定し、必要に応じてチャネル状態情報を取得する事としても良い。【００９１】
上りリンクグラントの種別が新データの送信の場合（ステップＳ１６；Ｙｅｓ）、移動局装置５は、送信する新データと、ステップＳ１４において取得したＣＳＲを基地局装置１に送信する（ステップＳ１６）。ただし、ＣＳＲの送信を禁止するサブフレームでは、移動局装置５は、ＣＳＲを送信しない。【００９２】
上りリンクグラントの種別が再送データの場合（ステップＳ１６；Ｎｏ→ステップＳ２０；Ｙｅｓ）、移動局装置５は、再送データと、ステップＳ１４において取得したＣＳＲを送信する（ステップＳ２２）。すなわち、ＣＳＲは再送データ送信時のＣＳＲが送信されることとなり、再送前のＣＳＲと同一のＣＳＲが送信されることにはならない。ただし、ＣＳＲの送信を禁止するサブフレームでは、移動局装置５は、ＣＳＲを送信しない。【００９３】
上りリンクグラントの種別がＣＳＲのみの場合（ステップＳ１６；Ｎｏ→ステップＳ２０；Ｎｏ）、移動局装置５は、データを送信せずに、ステップＳ１４において取得されたＣＳＲを送信する。【００９４】
ここで、前回送信時に使用した上りリンクグラントの種別が、ＣＳＲのみではなく（すなわち、新データ又は再送データ）、新たに検出した上りリンクグラントの種別がＣＳＲのみの場合は、移動局装置５は、前回送信が成功した（基地局装置１側でのＣＲＣが成功した）と判定し、上りリンク送信用バッファをフラッシュし新たなデータを書き込むとともに、スケジューリング部（ＭＡＣ層）から上位層にＡＣＫを報告する。【００９５】
移動局装置５は、送信を完了すると、上りリンクの送信と関連付けられたタイミング位置でＰＤＣＣＨに自局宛の上りリンクグラントを検出した場合（ステップＳ２６；Ｙｅｓ）、上りリンクグラントの種別検出処理（ステップＳ１２）へ戻る。【００９６】
ＰＤＣＣＨに上りリンクグラントを検出しなかった場合（ステップＳ２６；Ｎｏ）、ＰＨＩＣＨがＡＣＫであるかＮＡＣＫであるかを検出する（ステップＳ２８）。ここで、ＡＣＫを受信した場合（ステップＳ２８；ＡＣＫ）、移動局装置５は当該処理を終了する。【００９７】
ＮＡＣＫを受信した場合（ステップＳ２８；ＮＡＣＫ）、移動局装置５は、ＣＳＲをチャネル推定部５０８から取得する（ステップＳ３０）。【００９８】
ここで、前回受信した上りリンクグラントの種別を判定することにより、前回送信したのはＣＳＲのみかどうかを判定する（ステップＳ３２）。ここで、前回送信がＣＳＲのみの場合（ステップＳ３２；Ｙｅｓ）、データを送信せずに、ステップＳ３０において取得されたＣＳＲを送信する（ステップＳ３６）。他方、前回送信にデータが含まれている場合（ステップＳ３２；Ｎｏ）、前回送信したデータを再送データとして、ステップＳ３０において取得されたＣＳＲをともに基地局装置１に送信する（ステップＳ３４）。【００９９】
そして、ＰＤＣＣＨ又はＰＨＩＣＨ受信処理に入る（すなわち、Ｎｏｎ−Ａｄａｐｔｉｖｅ  ＨＡＲＱ）。ただし、ＣＳＲの送信を禁止するサブフレームでは、移動局装置５は、ＣＳＲを送信しない。
また、このプロセスは、ＨＡＲＱのプロセス数分並列に処理することが可能である。上記の処理は、１つの同期ＨＡＲＱプロセスのみについて説明している。一つの同期ＨＡＲＱプロセスは、８サブフレームごとの送信時に動作し、続くサブフレームには別の同期ＨＡＲＱプロセスが動作する。【０１００】
このように、第１実施例によれば、移動局装置５は、データ送信時のチャネル状態情報を適切に送信することが可能となる。基地局装置１は、移動局装置５との適切な通信状態に応じてスケジューリングを行う事が可能となる。【０１０１】
なお、変形例として、上りリンクグラントによってＣＳＲのフォーマットを指定することとしてもよい。その場合にも同様に、移動局装置５は、上りリンクグラントの種別に応じて、新データを送信するのか、再送データを送信するのか、ＣＳＲを送信するのか、ＣＳＲフォーマット１で送信するのかＣＳＲフォーマット２で送信するのかを判断する。【０１０２】
つまり、前回送信の上りリンクグラントが特別な値の場合、ＣＳＲフォーマット２を指定することを意味し再送リソースにおいても、ＣＳＲフォーマット２を維持して新たに測定されたＣＳＲを送信する。例えば、ＣＳＲフォーマット１は、周期的レポートフォーマット、ＣＳＲフォーマット２は、非周期的レポートフォーマットである。この場合、ＣＳＲフォーマット２の上りリンクグラントの種別は、非周期的レポート送信要求であり、移動局装置は、上りリンクグラントに非周期的レポート送信要求が含まれているかどうかで判断する。【０１０３】
〔第２実施例〕
続いて、第２実施例について説明する。第２実施例は、チャネル状態専用送信要求を含んだ場合の処理について説明する。【０１０４】
すなわち、ＰＵＳＣＨでデータを送信する際には、基本的にはチャネル状態情報を含めて送信しない設定になっている。ＰＵＳＣＨでチャネル状態情報を送信する場合は、上りリンクグラントにチャネル状態情報の送信要求が含まれている。この場合、ＰＵＳＣＨでのチャネル状態情報の送信は、トリガ的（非周期的）に生じる。チャネル状態情報の送信要求が含まれている場合は、上りリンクデータとチャネル状態情報の両方を送信するが、上りリンクグラントが特別な値の場合、上りリンクデータを送信せず、チャネル状態情報のみを送信する。この特別な値の上りリンクグラントを、チャネル状態情報専用送信要求を含んだ上りリンクグラントと呼ぶ。【０１０５】
図７にチャネル状態情報送信手順の一例を示す。移動局装置５は、Ｄ−ｓｕｂｆｒａｍｅ＃２でＰＤＣＣＨをデコードし、該移動局装置への上りリンク送信許可信号（上りリンクグラント）を検出する。この上りリンクグラントには、新データを示す新データインジケータとチャネル状態情報の送信要求が含まれている。【０１０６】
移動局装置５は、Ｄ−ｓｕｂｆｒａｍｅ＃２に対応した一定処理時間後の上りリンクサブフレームＵ−ｓｕｂｆｒａｍｅ＃６のＰＵＳＣＨにて上りリンクデータ（新データ）と新たに測定したチャネル状態情報（ＣＳＲ＃６）を送信する。基地局装置１は、上りリンクデータのデコード処理を行い、ＣＲＣ（Cyclic Redundancy Check）が成功した場合にＡＣＫを送信する。【０１０７】
基地局装置１は、ＣＲＣ（Cyclic Redundancy Check）が失敗した場合は、ＮＡＣＫを移動局装置５にＰＨＩＣＨを使って送信するか、又は再送のための新たなＭＣＳ、リソースブロックを指定する新データインジケータを含まない上りリンクグラントを、移動局装置にＰＤＣＣＨを使って送信する。【０１０８】
図７では、基地局装置１は移動局装置５にＰＨＩＣＨを使ってＮＡＣＫを送信する。移動局装置５は、Ｄ−ｓｕｂｆｒａｍｅ＃１０において、ＰＤＣＣＨに上りリンクグラントを検出せず、ＰＨＩＣＨでＮＡＣＫを検出した場合、上りリンク送信信号として、再送用データと、新たに測定したチャネル状態情報（ＣＳＲ＃１４）を送信する。ここで、移動局装置５は、前回送信時にチャネル状態情報を送信しているのでチャネル状態情報を送信しているが、前回送信時にチャネル状態情報を送信していない場合には、再送データのみを送信する。【０１０９】
このように、図７の処理手順によれば、ＰＨＩＣＨのＡＣＫ／ＮＡＣＫのみでチャネル状態情報（ＣＳＲ）のフィードバックの停止または継続的なフィードバックが可能となり、ＰＤＣＣＨのオーバーヘッドを下げることができる。また、同期ＨＡＲＱの特性を生かして、定期的なインターバル（ＨＡＲＱのラウンドトリップタイム）でのチャネル状態情報のフィードバックが可能となる。【０１１０】
続いて、図８に他のチャネル状態情報送信手順の一例を示す。移動局装置５は、Ｄ−ｓｕｂｆｒａｍｅ＃２でＰＤＣＣＨをデコードし、移動局装置５への上りリンク送信許可信号（上りリンクグラント）を検出する。この上りリンクグラントには、新データを示す新データインジケータが含まれているがチャネル状態情報（ＣＳＲ）の送信要求は含まれていない。【０１１１】
移動局装置５は、Ｄ−ｓｕｂｆｒａｍｅ＃２に対応した一定処理時間後の上りリンクサブフレームＵ−ｓｕｂｆｒａｍｅ＃６のＰＵＳＣＨにて上りリンク送信信号として新データを送信する。基地局装置１は、上りリンクデータのデコード処理を行い、ＣＲＣ（Cyclic Redundancy Check）が成功した場合にＡＣＫを送信する。【０１１２】
また、基地局装置１は、ＣＲＣ（Cyclic Redundancy Check）が失敗した場合、否定応答としてＮＡＣＫを移動局装置５にＰＨＩＣＨを使って送信するか、又は再送のための新たなＭＣＳ、リソースブロックを指定する新データインジケータを含まない上りリンクグラントを、移動局装置５にＰＤＣＣＨを使って送信する。図８では、基地局装置１は移動局装置５にチャネル状態情報のフィードバックを要求するために、上りリンクグラントにチャネル状態情報（ＣＳＲ）の送信要求を含めている。【０１１３】
移動局装置５は、Ｄ−ｓｕｂｆｒａｍｅ＃１０で、ＰＤＣＣＨでチャネル状態情報の送信要求を含み、新データインジケータを含まない上りリンクグラントを検出する。ここで、上りリンクグラントには、チャネル状態情報の送信要求が含まれているため、上りリンク送信信号として、再送データと、再送時に新たに測定したチャネル状態情報（ＣＳＲ＃１４）を送信する。【０１１４】
図８に示した処理手順によれば、上りリンクデータの再送時にもチャネル状態情報（ＣＳＲ）の継続的なフィードバックが可能となり、より柔軟性のあるチャネル状態情報のフィードバックのスケジューリングが可能となる。したがって、ＰＤＣＣＨのオーバーヘッドを下げることができる。【０１１５】
続いて、図９に他のチャネル状態情報送信手順の一例を示す。移動局装置５は、Ｄ−ｓｕｂｆｒａｍｅ＃２でＰＤＣＣＨをデコードし、該移動局装置への上りリンク送信許可信号（上りリンクグラント）を検出する。この上りリンクグラントには、上りリンクデータを送信せずにチャネル状態情報を送信するように指定する情報（チャネル状態情報専用送信要求）が含まれている。【０１１６】
移動局装置５は、Ｄ−ｓｕｂｆｒａｍｅ＃２に対応した一定処理時間後の上りリンクサブフレームＵ−ｓｕｂｆｒａｍｅ＃６のＰＵＳＣＨにて、上りリンクデータを送信せず、新たに測定したチャネル状態情報（ＣＳＲ＃６）を送信する。【０１１７】
基地局装置１は、受信したチャネル状態情報をデコードし下りリンクのスケジューリングに反映する。基地局装置１は、さらにチャネル状態情報を要求する場合には否定応答であるＮＡＣＫを、チャネル状態情報を要求しない場合には肯定応答であるＡＣＫを、移動局装置５にＰＨＩＣＨを使って送信する。【０１１８】
移動局装置５は、Ｄ−ｓｕｂｆｒａｍｅ＃１０において、ＰＤＣＣＨに上りリンクグラントを検出せず、ＰＨＩＣＨでＮＡＣＫを検出した場合、新たに測定したチャネル状態情報（ＣＳＲ＃１４）を送信する。また、ＰＤＣＣＨに上りリンクグラントを検出せず、ＰＨＩＣＨでＡＣＫを検出した場合は、チャネル状態情報の送信を停止する。【０１１９】
このように、ＰＨＩＣＨのＡＣＫ／ＮＡＣＫのみでチャネル状態情報のフィードバックの停止または継続的なフィードバックが可能となり、ＰＤＣＣＨのオーバーヘッドを下げることができる。また、同期ＨＡＲＱの特性を生かして、定期的なインターバル（ＨＡＲＱのラウンドトリップタイム）でのチャネル状態情報のフィードバックが可能となる。【０１２０】
ここで、第２実施例における移動局装置５の処理手順を図１０を用いて説明する。まず、移動局装置５は、ＰＤＣＣＨをデコードし、自局宛の上りリンクグラントがないか確認する（ステップＳ５０）。【０１２１】
自局宛の上りリンクグラントを検出した場合（ステップＳ５０；Ｙｅｓ）、上りリンクグラントを解析し、上りリンクグラントの種別を検出する（ステップＳ５２）。ここでの上りリンクグラントの種別とは、チャネル状態情報送信（ＣＳＲ：Channel State Report）を要求しているか、チャネル状態情報専用送信を要求しているか、新データの送信か、再送データの送信かである。【０１２２】
チャネル状態情報送信を要求しているかどうかは、チャネル状態情報の送信要求を含んでいるかどうかで判断される。チャネル状態情報専用送信を要求しているかどうかは、チャネル状態情報専用送信要求を含んでいるかどうかで判断される。新データか再送データかは、新データインジケータの有無によって判断される。この情報は、上りリンクグラントの種別として記憶する。また、チャネル状態情報（ＣＳＲ）をチャネル推定部５０８から取得する（ステップＳ５４）。このチャネル状態情報の取得ステップは、ステップＳ１４と同様である。【０１２３】
なお、チャネル状態情報は、ステップＳ５４において取得する段階において、チャネル推定部５０８がその都度取得しても良いし、チャネル推定部５０８がチャネル状態を常時測定し、必要に応じてチャネル状態情報を取得する事としても良い。【０１２４】
上りリンググラントにＣＳＲの要求が無い場合（ステップＳ５６；Ｎｏ）、データを送信する（ステップＳ５８）。また、ＣＳＲ要求が含まれている場合には（ステップＳ５６；Ｙｅｓ）、ＣＳＲ専用要求か否かを判定する（ステップＳ６０）。【０１２５】
ここで、ＣＳＲ専用要求の場合には（ステップＳ６０；Ｙｅｓ）、ステップＳ５４で取得されたＣＳＲのみを送信する（ステップＳ６４）。また、ＣＳＲ専用要求でない場合には、データとステップＳ５４で取得されたＣＳＲとを基地局装置１に送信する（ステップＳ６０；Ｎｏ→ステップＳ６２）。【０１２６】
ここで、前回送信時に使用した上りリンクグラントの種別が、ＣＳＲ専用要求ではなく、新たに検出した上りリンクグラントの種別がＣＳＲ専用要求の場合は、移動局装置５は、前回送信が成功した（基地局装置１側でのＣＲＣが成功した）と判定し、上りリンク送信用バッファをフラッシュし新たなデータを書き込むとともに、スケジューリング部（ＭＡＣ層）から上位層にＡＣＫを報告する。【０１２７】
つづいて、移動局装置５は、送信を完了すると、上りリンクの送信と関連付けられたタイミング位置でＰＤＣＣＨに自局宛の上りリンクグラントを検出した場合（ステップＳ６６；Ｙｅｓ）、上りリンクグラントの種別検出処理（ステップＳ５２）へ戻る。【０１２８】
ＰＤＣＣＨに上りリンクグラントを検出しなかった場合（ステップＳ６６；Ｎｏ）、ＰＨＩＣＨがＡＣＫであるかＮＡＣＫであるかを検出する（ステップＳ６８）。ここで、ＡＣＫを受信した場合（ステップＳ６８；ＡＣＫ）、移動局装置５は当該処理を終了する。【０１２９】
ＮＡＣＫを受信した場合（ステップＳ６８；ＮＡＣＫ）、移動局装置５は、ＣＳＲをチャネル推定部５０８から取得する（ステップＳ７０）。【０１３０】
ここで、前回受信した上りリンクグラントにＣＳＲ要求があったか否かを判定する（ステップＳ７２）。ここで、前回の上りリンクグラントにＣＳＲの要求が無かった場合は、再送データのみを基地局装置１に送信する（ステップＳ７２；Ｎｏ→ステップＳ７４）。【０１３１】
また、前回の上りリンクグラントがＣＳＲ専用要求の場合には、ステップＳ７０において取得されたＣＳＲのみが送信される（ステップＳ７２；Ｎｏ→ステップＳ７６；Ｙｅｓ→ステップＳ８０）。【０１３２】
また、前回の上りリンクグラントがＣＳＲ専用要求ではない場合は、再送データと、ステップＳ７０において取得されたＣＳＲとが基地局装置１に送信される（ステップＳ７２；Ｙｅｓ→ステップＳ７６；Ｎｏ→ステップＳ７８）。【０１３３】
そして、ステップＳ６６に処理が戻り、ＰＤＣＣＨ又はＰＨＩＣＨ受信処理に入る（すなわち、Ｎｏｎ−Ａｄａｐｔｉｖｅ  ＨＡＲＱ）。ただし、ＣＳＲの送信を禁止するサブフレームでは、移動局装置５は、ＣＳＲを送信しない。【０１３４】
また、このプロセスは、ＨＡＲＱのプロセス数分並列に処理することが可能である。上記の処理は、１つの同期ＨＡＲＱプロセスのみについて説明している。一つの同期ＨＡＲＱプロセスは、８サブフレームごとの送信時に動作し、続くサブフレームには別の同期ＨＡＲＱプロセスが動作する。【０１３５】
このように、第２実施例によれば、移動局装置５は、ＣＳＲ専用要求を受信した場合であっても、チャネル状態情報を送信することが可能となる。基地局装置１は、移動局装置５との適切な通信状態に応じてスケジューリングを行う事が可能となる。【０１３６】
〔変形例〕
上述した実施形態においては、説明の都合上、基地局装置と移動局装置とが一対一の場合を例にとって説明したが、基地局装置及び移動局装置は複数であっても良いことはもちろんである。【０１３７】
また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行っても良い。なお、ここでいう「コンピュータシステム」とは、ＯＳや周辺機器等のハードウェアを含むものとする。【０１３８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。【０１３９】
以上、この発明の実施形態について図面を参照して詳述してきたが、具体的な構成はこの実施形態に限られるものではなく、この発明の要旨を逸脱しない範囲の設計等も特許請求の範囲に含まれる。【０１４０】
また、移動局装置５が再送時に、ＣＳＲを送信しないモードと送信するモードを作っても良い。再送時にＣＳＲを送信しないモードにおいては、新データを送信する時のみＣＳＲを送信する。再送時にＣＳＲを送信するモードにおいては、実施例１または実施例２のように新データを送信するときと再送時にＣＳＲを送信することとなる。
【図１】
2009093662.tif 000003
【図２】
2009093662.tif 000004
【図３】
2009093662.tif 000005
【図４】
2009093662.tif 000006
【図５】
2009093662.tif 000007
【図６】
2009093662.tif 000008
【図７】
2009093662.tif 000009
【図８】
2009093662.tif 000010
【図９】
2009093662.tif 000011
【図１０】
2009093662.tif 000012
【図１１】
2009093662.tif 000013
【図１２】
2009093662.tif 000014
【図１３】
2009093662.tif 000015
【図１４】
2009093662.tif 000016
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
基地局装置から、上りリンクデータの送信許可信号を受信する送信許可信号受信手段と、
チャネル状態情報を取得するチャネル状態情報取得手段と、
前記送信許可信号を受信した場合に、前記基地局装置に上りリンクデータを送信するデータ送信手段と、
を備え、
前記送信許可信号がチャネル状態情報の送信要求を含み、前記基地局装置に前記上りリンクデータを再度送信するように指定する情報を含む信号である場合に、前記データ送信手段は、前記基地局装置に送信した上りリンクデータの再送データを、前記送信要求に基づいて前記チャネル状態情報取得手段により新たに取得されたチャネル状態情報とともに、前記基地局装置に送信することを特徴とする移動局装置。
【請求項２】
前記チャネル状態情報取得手段は、前記チャネル状態情報の送信要求を含む前記送信許可信号を検出する都度、チャネル状態情報を取得することを特徴とする請求項１に記載の移動局装置。
【請求項３】
移動局装置が、
基地局装置から、上りリンクデータの送信許可信号を受信した場合に、前記基地局装置に上りリンクデータを送信するデータ送信方法であって、
前記送信許可信号がチャネル状態情報の送信要求を含み、前記基地局装置に前記上りリンクデータを再度送信するように指定する情報を含む信号である場合に、前記基地局装置に送信した上りリンクデータの再送データを、前記送信要求に基づいて新たに取得されたチャネル状態情報とともに、前記基地局装置に送信することを特徴とするデータ送信方法。
【請求項４】
基地局装置から、上りリンクデータの送信許可信号を受信する送信許可信号受信機能と、
チャネル状態情報を取得するチャネル状態情報取得機能と、
前記送信許可信号を受信した場合に、前記基地局装置に上りリンクデータを送信するデータ送信機能と、
を実現させるために移動局装置を制御するプログラムであって、
前記送信許可信号がチャネル状態情報の送信要求を含み、前記基地局装置に前記上りリンクデータを再度送信するように指定する情報を含む信号である場合に、前記データ送信機能は、前記基地局装置に送信した上りリンクデータの再送データを、前記送信要求に基づいて前記チャネル状態情報取得機能により新たに取得されたチャネル状態情報とともに、前記基地局装置に送信することを特徴とするプログラム。
【手続補正３】
【補正対象書類名】明細書
【補正対象項目名】０００１
【補正方法】変更
【補正の内容】
【０００１】
本発明は、移動局装置等に関する。
【手続補正４】
【補正対象書類名】明細書
【補正対象項目名】００２６
【補正方法】変更
【補正の内容】
【００２６】
しかしながら従来の技術では、移動局装置は、上りリンクデータの再送時にどのようにチャネル状態情報を送信するのかを知ることができなかった。すなわち、移動局装置から、基地局装置に対して送信データが再送される場合、前回送信されたものと同一のデータが送信されることとなる。したがって、再送前に送られたチャネル状態情報が、再度送られることとなり、再送時のチャネル状態にあった情報が送られることとはならなかった。
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】変更
【補正の内容】
【００３１】
上述した課題を解決するために、本発明の移動局装置は、基地局装置から、上りリンクデータの送信許可信号を受信する送信許可信号受信手段と、
チャネル状態情報を取得するチャネル状態情報取得手段と、
前記送信許可信号を受信した場合に、前記基地局装置に上りリンクデータを送信するデータ送信手段と、
を備え、
前記送信許可信号がチャネル状態情報の送信要求を含み、前記基地局装置に前記上りリンクデータを再度送信するように指定する情報を含む信号である場合に、前記データ送信手段は、前記基地局装置に送信した上りリンクデータの再送データを、前記送信要求に基づいて前記チャネル状態情報取得手段により新たに取得されたチャネル状態情報とともに、前記基地局装置に送信することを特徴とする。
【手続補正７】
【補正対象書類名】明細書
【補正対象項目名】００３２
【補正方法】変更
【補正の内容】
【００３２】
また、本発明の移動局装置において、前記チャネル状態情報取得手段は、前記チャネル状態情報の送信要求を含む前記送信許可信号を検出する都度、チャネル状態情報を取得することを特徴とする。
【手続補正８】
【補正対象書類名】明細書
【補正対象項目名】００３３
【補正方法】変更
【補正の内容】
【００３３】
また、本発明のデータ送信方法は、
移動局装置が、
基地局装置から、上りリンクデータの送信許可信号を受信した場合に、前記基地局装置に上りリンクデータを送信するデータ送信方法であって、
前記送信許可信号がチャネル状態情報の送信要求を含み、前記基地局装置に前記上りリンクデータを再度送信するように指定する情報を含む信号である場合に、前記基地局装置に送信した上りリンクデータの再送データを、前記送信要求に基づいて新たに取得されたチャネル状態情報とともに、前記基地局装置に送信することを特徴とする。
【手続補正９】
【補正対象書類名】明細書
【補正対象項目名】００３４
【補正方法】変更
【補正の内容】
【００３４】
また、本発明のプログラムは、
基地局装置から、上りリンクデータの送信許可信号を受信する送信許可信号受信機能と、
チャネル状態情報を取得するチャネル状態情報取得機能と、
前記送信許可信号を受信した場合に、前記基地局装置に上りリンクデータを送信するデータ送信機能と、
を実現させるために移動局装置を制御するプログラムであって、
前記送信許可信号がチャネル状態情報の送信要求を含み、前記基地局装置に前記上りリンクデータを再度送信するように指定する情報を含む信号である場合に、前記データ送信機能は、前記基地局装置に送信した上りリンクデータの再送データを、前記送信要求に基づいて前記チャネル状態情報取得機能により新たに取得されたチャネル状態情報とともに、前記基地局装置に送信することを特徴とする。
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【国際調査報告】
2009093662.tif 000017
2009093662.tif 000018
2009093662.tif 000019